(57)【要約】【課題】光ファイバ同士を接続するために使用される光ファイバ接続箱であって品種を少なくし、小型化を図ること。【解決手段】光ファイバ収納面１１ａを一面に有する少なくとも１枚の収納トレイ１１と、収納トレイ１１の光ファイバ収納面１１ａを表側、裏側のいずれかに変更可能で且つ収納トレイ１１を回動可能に支持する支持部１３と、支持部１３が取り付けられるベース１４とを有する【選択図】図３
2006330630.tif 000002
【特許請求の範囲】
【請求項１】
光ファイバ収納面を一面に有する少なくとも１枚の収納トレイと、
前記収納トレイの前記光ファイバ収納面を表側、裏側のいずれかに変更可能で且つ前記収納トレイを回動可能に支持する支持部と、
前記支持部が取り付けられるベースと
を有することを特徴とする光ファイバ接続箱。
【請求項２】
前記支持部は、支持された前記収納トレイの前記光ファイバ収納面を表側、裏側のいずれにも変更可能なように前記ベースに着脱可能であることを特徴とする請求項１に記載の光ファイバ接続箱。
【請求項３】
後端が前端よりも薄く形成された収納トレイと、
前記収納トレイの前記後端に前記収納トレイを第１の回動軸を介して回動可能に支持する支持体と、
前記支持体が取り付けられるベースとを有することを特徴とする光ケーブル接続箱。
【請求項４】
前記収納トレイは、少なくとも２枚１組が同じ前記第一の回動軸上で支持されることを特徴とする請求項１乃至請求項３のいずれか一つに記載の光ファイバ接続箱。
【請求項５】
前記支持部は、前記ベース上に設けられた支持台に第２の回動軸を介して回動可能に取り付けられていることを特徴とする請求項１乃至請求項４のいずれか１つに記載の光ファイバ接続箱。
【請求項６】
前記第２の回動軸は、前記支持部のうち前記ベース寄りの端部に設けられていることを特徴とする請求項５に記載の光フィアバ接続箱。
【請求項７】
前記収納トレイは、前記支持部に対して着脱可能に取り付けられていることを特徴とする請求項１乃至請求項６のいずれか一つに記載の光ファイバ接続箱。
【発明の詳細な説明】
【技術分野】
【０００１】
本発明は、光ファイバ接続箱及び光ファイバ収納トレイに関し、より詳しくは、光ファイバ同士を接続するために使用される光ファイバ接続箱に関する。
【背景技術】
【０００２】
光ファイバ同士を接続するとともにその余長を収納するために使用される光ファイバ接続箱には複数の収納トレイを格納するタイプのものがある。その収納トレイは、光ファイバ同士の接続作業を他の光ファイバから分離しながら行えるようにするとともに、接続作業を終えた光ファイバとその余長部分を他の光ファイバから分離して収納できるようにするために設けられる。
【０００３】
収納トレイは、下記の特許文献１、２に記載されているように、厚さが均一で略楕円状の形状を有し、複数個重ねて回動可能に配置される構造となっている。各々の収納トレイは、回動により所定の作業面が露出するようになっている。
【０００４】
作業面として、例えば図１９に示すように、光ファイバ接続箱１００に格納される収納トレイ１０１の２面のうち筐体１０２のベース面に対向しないＡ面が選択されるものがある。また、作業面として、図２０に示すように、光ファイバ接続箱１１０に格納される収納トレイ１１１の２面のうち筐体１１２のベース面に対向するがＢ面が選択されるものがある。
【０００５】
図１９に示す光ファイバ接続箱１００は、主に壁面に取り付けられるタイプであり、壁面では幹線ケーブル１２０が縦方向に引かれるために、収納トレイ１０１の回動軸１０３を左側又は右側に配置する必要がある。この場合、光ファイバ接続の作業スペースを広く確保するため、壁面に平行なＡ面が作業面となる。
【０００６】
また、図２０に示す光ファイバ接続箱１１０は、横方向に配置される架空幹線ケーブル１２１などに取り付けられる吊り下げ部１１４を有する架空吊り下げタイプであり、縦方向の寸法は規制されることが多く、しかも架空幹線ケーブル１２１の引き出し方向も横方向が好ましいので、幹線ケーブル導入口１１５は筐体１１２の側部に設けられ、さらに収納トレイ１１１の回動軸１１３は下側に配置される。この場合、光ファイバ接続作業のしやすさを考慮し、収納トレイ１１１の回動により開いて手前に現れるＢ面を作業面とする。
【０００７】
複数枚重ねられて筐体１０２（１１２）に入れられる収納トレイ１０１（１１１）同士は、回動軸１０３（１１３）を中心として大きな角度をもって開くことができる構造にすることが作業スペースを十分に確保するために好ましい。
図２１（ａ）は、光ファイバ接続箱の収納トレイの開閉状態を示す断面図であり、筐体のうちベース面１０５に垂直な面が収納トレイ１０１を回動可能に支持する支持部１０４となる。この例では、支持部１０４はベース面１０５に一体成形によって取り付けられている。また、ベース面１０５の上に積み重ねた複数の収納トレイ１０１の後端のヒンジ状の回動軸１０３は、支持部１０４に間隔をおいて取り付けられている。
このような構造によれば、図２１（ｂ）に示すように、収納トレイ１０１を上から順に開いてゆくと、ベース面１０５に近いほど収納トレイ１０１の開き角度θが小さくなってしまうので、その開き角度θを大きくするために回動軸１０５相互の上下の間隔を広げる必要がある。
【０００８】
また、図２２に示すように、収納トレイ１０１後端の回動軸１０３を支持部１０６の傾斜角４５度の斜面１０７上に取り付けるようにした構造があり、収納トレイ１０１の厚さがｔの場合に、ヒンジ１０５相互の上下のピッチ間隔をｔ、前後方向の間隔もｔとすれば、任意の収納トレイ１０１を約９０度で開くことが可能であり、一般的には作業スペースとして十分である。
【０００９】
また、特許文献３には、収納トレイを支持部によって支持するのではなく、収納トレイ同士をヒンジで連結した棚状体を前方に引き出せるような構造が記載されている。これによれば、ヒンジの後ろ側に一時的にスペースを確保できるので、回動させた収納トレイをそのスペースに倒すことにより、上段と下段の収納トレイを９０度程度の角度で開くことができる。
【特許文献１】特開２００３−８４１４６号公報
【特許文献２】特開２０００−１２１８４０号公報
【特許文献３】特開平４−３５９２０２号公報
【発明の開示】
【発明が解決しようとする課題】
【００１０】
しかし、光ファイバ接続箱を図１９、図２０に示したように設置場所に合わせて多品種用意することは、製造コスト、製品管理などの観点から負担が増えるという不都合がある。
【００１１】
また、図２１に示す収納トレイ１０１の回動軸１０３相互の間隔を広げれば、収納トレイ１０１の開き角度θが広くなるが、その間隔が広がった分だけ収納トレイ配置空間が大きくなってしまう。さらに、図２２に示した例では傾斜した支持部１０６が縦横双方に相当のスペースを必要とし、このスペースを光ファイバ接続箱内に確保することが必要となるので光ファイバ接続箱の小型化に支障をきたす。
さらに、特許文献３に記載の例では、収納トレイ同士をヒンジにより連結するので、作業面を変更可能とする構成が困難となる。また、収納トレイや接続箱などは、樹脂などで軽量に作成されることが多く、スムースな可動を実現する場合、スライド運動は回動運動よりも不利となる。
【００１２】
本発明の目的は、品種を少なくし、小型化を図ることができる光ファイバ接続箱を提供することにある。
【課題を解決するための手段】
【００１３】
上記の課題を解決するための本発明の第１の態様は、光ファイバ収納面を一面に有する少なくとも１枚の収納トレイと、前記収納トレイの前記光ファイバ収納面を表側、裏側のいずれかに変更可能で且つ前記収納トレイを回動可能に支持する支持部と、前記支持部が取り付けられるベースとを有することを特徴とする光ファイバ接続箱である。
【００１４】
上記の課題を解決するための本発明の第２の態様は、前記第１の態様において、前記支持部は、支持された前記収納トレイの前記光ファイバ収納面を表側、裏側のいずれにも変更可能なように前記ベースに着脱可能であることを特徴とする光ファイバ接続箱である。
【００１５】
上記の課題を解決するための本発明の第３の態様は、後端が前端よりも薄く形成された収納トレイと、前記収納トレイの前記後端に前記収納トレイを第１の回動軸を介して回動可能に支持する支持体と、前記支持体が取り付けられるベースとを有することを特徴とする光ケーブル接続箱である。
本発明の第４の態様は、前記第３の態様において、前記収納トレイは、少なくとも２枚１組が同じ前記第一の回動軸上で支持されることを特徴とする。
【００１６】
本発明の第５の態様は、前記第１乃至第４の態様のいずれかにおいて、前記支持部は、前記ベース上に設けられた支持台に第２の回動軸を介して回動可能に取り付けられていることを特徴とする。
【００１７】
本発明の第６の態様は、前記第５の態様において、前記第２の回動軸は、前記支持部のうち前記ベース寄りの端部に設けられていることを特徴とする。
【００１８】
本発明の第７の態様は、前記第１乃至第６のいずれかの態様において、前記収納トレイは、前記支持部に対して着脱可能に取り付けられていることを特徴とする。
【発明の効果】
【００１９】
本発明によれば収納トレイの光ファイバ収納面の表裏の向きを変更可能に取り付けているので、同じ光ケーブル接続箱を壁面取り付け用と架空吊り下げ用のいずれにも適用することができる。
また、前記支持部を支持された前記収納トレイの前記光ファイバ収納面を表側、裏側のいずれにも変更可能となるように前記ベースに着脱可能に構成すれば、支持部に支持された収納トレイの表裏の向きを支持部ごと一括して変更可能である
【００２０】
また、本発明によれば、後端側を軸にしてその周りに回動可能に取り付けられる収納トレイのその後端を前端よりも薄く形成しているので、複数重ねられた収納トレイの一部を回動させる場合に、上下の収納トレイ同士が当接しない範囲が広くなるので、回動された収納トレイと回動されずに残された収納トレイの開き角度を大きくすることができる。これにより、重ねられる複数の収納トレイを後方にずらして配置する場合にも、そのずらす量を従来よりも少なくすることができる。
また、複数の収納トレイの後端を回動可能に支持する支持部をベースに対してさらに回動可能に取り付けたので、上述の傾斜した支持部に必要な縦横双方のスペースを光ファイバ接続箱内に設けなくても、約９０度の開閉範囲を確保しやすい。
この場合、一部の収納トレイを回動させて開く際に、ベース側に残される収納トレイ端の回動軸をベースから離す方向に前記支持部が回動すれば、その開き角はさらに大きくなる。
【発明を実施するための最良の形態】
【００２１】
以下に本発明の実施の形態を図面に基づいて詳細に説明する。
【００２２】
（第１の実施の形態）
図１は、本発明の実施形態に係る光ファイバ接続箱を開いた状態を示す正面図である。
【００２３】
図１において、略直方体状の光ファイバ接続箱１は、回動可能な状態で複数枚の収納トレイ１０を重ねて収納する筐体２と、収納トレイ１０が重なった状態に置かれている筐体２を覆う蓋体３と、筐体２と蓋体３を回動可能に接続するヒンジ４と、筐体２の長辺部のうちヒンジ４と反対側に着脱可能に取り付けられた架空吊り金具５と、筐体２の短辺側部の一方の一部を貫通して取り付けられる第１の幹線ケーブル導入管６ａと、その短辺側部の他の領域を貫通して取り付けられる引き落としケーブル導入管７と、筐体２の短辺側部の他方を貫通して取り付けられる第２の幹線ケーブル導入管６ｂとを有している。
【００２４】
収納トレイ１０は、図２に示すように、光ファイバ１８の接続部１９を収納する直線部１０ａと、光ファイバ余長の屈曲部１８ａを収納する円弧部１０ｂと、両側に設けられた第１及び第２の光ファイバ導入口１０ｃ，１０ｄと、後端に設けられた回動軸１０ｅとを備え、略楕円形状に作成されて所定の面が光ファイバ収納面１０ｆとなる。なお、光ファイバ収納面１０ｆ上には、光ファイバ１８を押さえる係止爪１０ｇが形成されている。
【００２５】
収納トレイ１０の回動軸１０ｅは、図３に示すように、光ファイバ接続箱１内のベース面２ａ上に取り付けられた支持部８に回動可能に取り付けられている。この形態においては、複数の収納トレイ１０の回動軸１０ｅは、支持部８の約４５度の傾斜面上に沿って支持されており、任意の収納トレイ１０が約９０度回動可能であり、光ファイバ収納面１０ｆに望む作業スペースを確保することができる
【００２６】
回動軸１０ｅの支持についてさらに詳述すると、図４（ａ），（ｂ）に示すように、収納トレイ１０の後端に取り付けられた回動軸１０ｅのピン１０ｐは、支持部８の傾斜面上に取り付けられたピン嵌入孔８ａにガイド切溝８ｖを通して嵌入されていて回動及び着脱が可能である。また、回動軸１０ｅは、図２（ａ）に示すように、収納トレイ１０の対称軸Ｉ−Ｉに対して線対称に２つ取り付けられている。
【００２７】
従って、光ファイバ収納面１０ｆは、ピン嵌入孔８ａに取り付けられるピン１０ｐの向きを変えることにより、表側、裏側のいずれにも変更可能で、図５に示すように、筐体２内で光ファイバ収納面１０ｆの向きを変更できる。この構成により、図６に示すように壁掛け・架空吊り共通の光ファイバ接続箱１の光ファイバ収納面１０ｆを変更し、さらに架空吊り金具７を着脱することにより、例えば、壁面に取り付けられるタイプとしても（図６（ａ））、架空幹線ケーブル１２１に取り付ける架空吊り下げタイプとしても（図６（ｂ））使用可能である。
【００２８】
（第２の実施形態）
第１の実施形態においては、収納トレイ１０の光ファイバ収納面１０ｆの向きを変更するのに、支持部８からそれぞれの収納トレイ１０を着脱して行った。
【００２９】
図７に示す第２の実施形態において、支持部９は支持台１５を介してベース面１０ｆ上に取り付けられている。支持部９と支持台１５は、支持台１５の傾斜部上の支持ピン１５ａ，１５ｂと支持部９のガイド切溝付きのピン嵌入孔９ａ，９ｂとにより着脱可能である。さらに、支持部９は、２つのピン嵌入孔９ａ，９ｂの間を通る対称軸II−IIに対して線対称であり、収納トレイ１０の光ファイバ収納面１０ｆが表側、裏側のいずれにも変更可能なように支持部９の取り付け方向が変更できる（図８参照）。従って、複数の収納トレイ１０の光ファイバ収納面１０ｆの向きを変える場合に支持部９ごと一括して変更することができる。
なお、支持部９のうち支持台１５とは反対側には、収納トレイ１０の回動軸１０ｅが着脱可能に嵌入されるピン嵌入孔９ｃが形成されている。
【００３０】
（第３に実施形態）
収納トレイ１１には、図２に示したように、後端の回動軸１０ｅ側（以下、後端側）の直線部に光ファイバ導入口１０ｃ、１０ｄから導入された光ファイバ１８の直線部が、他方側（以下、前端側）の直線部に光ファイバ１８よりも断面積の大きい接続部１８ａが収納される。
第３の実施形態においては、図９（ａ）に示すように、収納トレイ１０の後端側が前端側よりも薄く形成されている。従って、図９（ｂ）に示すように、接続部１０ａを収納するスペースを確保した上で、回動軸１０ｅ同士の間隔を狭くしても、回動角θを大きくとることができ、その狭くなった分だけ支持部８の前後方向の長さを短くできる。
【００３１】
（第４の実施形態）
第４の実施形態において、図１０、図１１に示されるように光ファイバ収納箱１内で交互に重ねられる２種類の収納トレイ１１，１２が用いられる。収納トレイ１１，１２の厚みは、例えば、図１２（ｃ）に示すように、前端から後端にかけて徐々に薄くなっている。
【００３２】
第１及び第２の収納トレイ１１，１２の各ファイバ収納面１１ａ，１２ａ上において、それらの後端と前部の周縁にはそれぞれ光ファイバ１８のはみ出しを防止する壁１１ｂ、１２ｂが形成されている。また、それらの壁１１ｂ，１２ｂの上部の複数箇所からは、ファイバ収納面１１ａ，１２ａとの間に隙間を形成するファイバ係止爪１１ｃ、１２ｃが内側に張り出されて形成されている。それらのファイバ係止爪１１ｃ、１２ｃは収納トレイ１１，１２の前端近傍の内側にも形成されている。
【００３３】
また、ファイバ収納面１１ａ，１２ａの中心部に対して両側には、それぞれ前後方向に長軸を有する楕円形のガイドリブ１１ｄ、１２ｄがファイバ収納面１１ａ，１２ａから垂直に突出して形成され、さらにガイドリブ１１ｄ、１２ｄの上部には、ファイバ収納面１１ａ，１２ａとの間に隙間を形成するファイバ係止爪１１ｅ、１２ｅが外側に張り出して形成されている。
なお、ガイドリブ１１ｄ，１２ｄから張り出されたファイバ係止爪１１ｅ，１２ｅと壁１１ｂ，１２ｂから張り出されたファイバ係止爪１１ｃ、１２ｃの間には光ファイバ１８を通す隙間１１ｆ、１２ｆが形成されている。
【００３４】
第１の収納トレイ１１と第２の収納トレイ１２の後端には、それぞれ回動軸としてのヒンジ用ピン１１ｐ、１２ｐが設けられている。第１の収納トレイ１１のヒンジ用ピン１１ｐは、中央から一側（例えば、左側）寄りに設けられ、また、第２の収納トレイ１２のヒンジ用ピン１２ｐは、中央から他側（例えば、右側）寄りに設けられている。
第１の収納トレイ１１と第２の収納トレイ１２の各ヒンジ用ピン１１ｐ，１２ｐはそれぞれ、図１２（ａ）〜（ｄ）に示すヒンジ用ピンの支持部１３上に形成された同軸上の２つのトレイピン嵌入孔１３ａ、１３ｂにガイド切溝１３ｖを通して嵌入されて、回動可能かつ着脱可能に取り付けられる。
【００３５】
第１、第２の収納トレイ１１、１２のヒンジ用ピン１１ｐ、１２ｐは、同軸上にある２つのトレイピン嵌入孔１３ａ、１３ｂのいずれにも向きを変えて嵌入が可能であり、これによりファイバ収納面１１ａ，１２ａの向きを変更することが可能になっている。
【００３６】
同軸上にあるトレイピン嵌入孔１３ａ，１３ｂは、それぞれ図１２（ａ）に示すように支持部１３上部で前後に例えば３組ずつほぼ平行に形成されている。そして、トレイピン嵌入孔１３ａ，１３ｂ同士の前後のピッチは、収納トレイ１１，１２の後端の厚さに基づいて設定される。例えば、図１０に示すように複数のトレイピン嵌入孔１３ａの配置方向を、筐体４内のベース板１４の底面に対してα＝４５°で傾ける場合に、トレイピン嵌入孔１３ａ（１３ｂ）のうちベース板１４の底面に平行な方向のピッチｔ１及び垂直な方向のピッチｔ２を少なくとも収納トレイ１１，１２の後端の厚さとほぼ同じにすれば、図１４，図１５に例示するように、収納トレイ１１，１２同士を略９０°で開くことができる。
そのような構造を有する支持部１３は、ベース板１４上の取付台１５に取り付けられる。
【００３７】
取付台１５は、図１３の上面図に示すように、その上部に形成された支持ピン１５ａ、１５ｂを有している。その支持ピン１５ａ、１５ｂは、図１２（ａ）〜（ｃ）に示すような支持部１３の下部に対称に設けられた支持ピン嵌入孔１３ｃ、１３ｄにガイド切溝１３ｕを通して着脱可能に嵌入されている。
【００３８】
また、第１の収納トレイ１１の前端部には弾性部１１ｇが設けられている。この弾性部１１ｇは、支持部１３に取り付けられた第１の収納トレイ１１と第２の収納トレイ１２を重ねる際に、第２の収納トレイ１２の前縁を外側から押圧して係止するものである。これにより、第２の収納トレイ１２は第１の収納トレイ１１に係止できる構造となっている。
なお、図１４は、光ファイバ接続箱１を壁掛けタイプとして使用する場合を示し、また、図１５は、架空幹線ケーブルに取り付ける架空吊り下げタイプとして使用する場合を示している。
【００３９】
以上の構成を有する光ファイバ接続箱１において、後端のヒンジ用ピン１１ｐ，１２ｐはそれぞれ同軸上にある２つのピン嵌入孔１３ａ，１３ｂに嵌め込まれるので、第１、第２の収納トレイ１１，１２の回動軸の間隔は実質的にゼロである。従って、所定の大きさの支持部１５により多くの収納トレイ１１，１２を支持することができる。
【００４０】
（第５の実施の形態）
図１６は、本発明の第５の実施形態に係る光ファイバ接続箱を示す断面図であり、図１７はその使用状態を示す断面図である
【００４１】
図１６において、ヒンジ用ピン用ピン１１ｐ，１２ｐを支持する支持部１３の一面には、収納トレイ１１，１２の回動軸としてのヒンジ用ピン１１ｐ，１２ｐが嵌入されるピン嵌入孔１３ａ、１３ｂが収納トレイ１１，１２の積層方向に間隔をおいて複数形成されている。また、支持部１３の他面のうち、ピン嵌入孔１３ａ、１３ｂの配列方向の端部には支持ピン嵌入孔１３ｃ、１３ｄが形成されている。支持ピン嵌入孔１３ｃ，１３ｄには、ベース板１４に突出した支持台１７に設けられた支持ピン１６が嵌め込まれている。支持ピン挿入孔１３ｃ、１３ｄは、支持ピン１６に対して回動可能であって回動軸となっている。
【００４２】
支持部１３は、そのピン嵌入孔１３ａ、１３ｂの配列方向をベース面１４に対して約９０°の角度で立てた状態で保持される。この場合、筐体４内では収納トレイ１１，１２が重ねられた状態とされる。
【００４３】
そして、光ファイバ１８を接続する等の作業を行う場合には、図１７に示すように、所望のファイバ収納面１１ａ（１２ａ）を露出させるために、それよりも上側の収納トレイ１１（１２）を回動させて角度θで開く。その際に、支持部１３を後方に回動させて例えば４５度傾けると、前述したように収納トレイ１１（１２）の作業に十分な回動角度θが確保できる。前述した実施形態（例えば図１２）のように支持部１７のピン嵌入孔１３ａ、１３ｂの配列方向を４５度程度傾斜させて固定すると、傾斜した支持部１５を全て筐体２内に収納する必要が生じてその分、筐体２を小型化できないが、本実施形態のように、支持部１７を回動可能とすれば通常は支持部１６を傾斜させない状態にできるので、筐体２ひいては光ファイバ接続箱１全体を小型化できる（図１８参照）。
【００４４】
また、本実施形態においては、支持部１７を回動させると、筐体４に残された収納トレイ１１，１２は、その後端が少し持ち上げられてベース板１４側（図中下側）へ実質的に回動して、支持部１３とのなす角βが小さくなる。
【００４５】
従って、図１７に示すように、角度βが小さくなった分だけ収納トレイ１１，１２相互間の開き角度θが大きくなり、作業スペースが広がることになる。なお、支持部１３は、回動された状態で筐体４からはみ出すような構造になっている。
【図面の簡単な説明】
【００４６】
【図１】図１は、本発明の実施形態に係る光ファイバ接続箱を開いた状態を示す正面図である。
【図２】図２（ａ）、（ｂ）は、本発明の第１実施形態に係る光ファイバ接続箱の収納トレイを示す平面図とＩ−Ｉ線断面図である。
【図３】図３は、本発明の第１実施形態に係る収納トレイの光ファイバ収納面をベース面に対向しない向きに収納する状態を示す断面図である。
【図４】図４（ａ）、（ｂ）は、本発明の第１実施形態に係る光ファイバ接続箱内の収納トレイの回動部分を示す平面図と側断面図である。
【図５】図５は、本発明の第１実施形態に係る光ファイバ接続箱の収納トレイの光ファイバ収納面をベース面に対向させて収納する状態を示す断面図である。
【図６】図６（ａ）は、本発明の第１実施形態に係る光ファイバ接続箱の収納トレイを壁掛けタイプに使用する状態を示す斜視図、図６（ｂ）は、本発明の第１実施形態に係る光ファイバ接続箱の収納トレイを架空吊りタイプに使用する状態を示す斜視図である。
【図７】図７は、本発明の第２実施形態に係る光ファイバ接続箱の収納トレイの光ファイバ収納面をベース面に対向しない向きに収納する状態を示す断面図である。
【図８】図８は、本発明の第２実施形態に係る光ファイバ接続箱の収納トレイの光ファイバ収納面をベース面に対向させて収納する状態を示す断面図である。
【図９】図９（ａ）は、本発明の第３実施形態に係る光ファイバ接続箱の収納トレイの側面図、図９（ｂ）は、本発明の第３実施形態に係る光ファイバ接続箱を示す断面図である。
【図１０】図１０は、本発明の第４実施形態に係る光ファイバ接続箱を示す断面図である。
【図１１】図１１（ａ）、（ｂ）は、本発明の第４実施形態に係る光ファイバ接続箱の収納トレイを示す平面図である。
【図１２】図１２（ａ）、（ｂ）は、本発明の第４実施形態に係る光ファイバ接続箱における収納トレイの支持部を示す平面図、正面図、図１２（ｃ）、（ｄ）は、収納トレイを支持部に取り付けた状態を示す側面図及びその拡大図である。
【図１３】図１３は、本発明の第４実施形態に係る光ファイバ接続箱内で収納トレイに接続される支持具が取り付けられる支持台を示す平面図である。
【図１４】図１４は、本発明の第４実施形態に係る光ファイバ接続箱の使用状態の第１例を示す断面図である。
【図１５】図１５は、本発明の第４実施形態に係る光ファイバ接続箱の使用状態の第２例を示す断面図である。
【図１６】図１６は、本発明の第５の実施形態に係る光ファイバ接続箱を示す断面図である。
【図１７】図１７は、本発明の第５の実施形態に係る光ファイバ接続箱の使用状態を示す断面図である。
【図１８】図１８は、本発明の第５実施形態と第４実施形態のそれぞれの光ファイバ接続箱の大きさを比較する断面図である。
【図１９】図１９は、従来技術に係る光ファイバ接続箱の第１例を示す斜視図である。
【図２０】図２０は、従来技術に係る光ファイバ接続箱の第２例を示す斜視図である。
【図２１】図２１は、従来技術に係る第３の光ファイバ接続箱内の収納トレイの格納状態と使用状態を示す側面図である。
【図２２】図２２は、従来技術に係る第４の光ファイバ接続箱内の収納トレイの格納状態を示す側面図である。
【符号の説明】
【００４７】
１：光ファイバ接続箱
１１，１２：収納トレイ
１１ａ，１２ａ：光ファイバ収納面
１１ｆ，１１ｅ：ファイバ係止爪
１１ｐ，１２ｐ：ヒンジ用ピン
１１ｇ：弾性部
８，１３，１７：支持部
１４：ベース板
１５：支持台
１５ａ，１５ｂ、１６：支持ピン
【図１】
2006330630.tif 000003
【図２】
2006330630.tif 000004
【図３】
2006330630.tif 000005
【図４】
2006330630.tif 000006
【図５】
2006330630.tif 000007
【図６】
2006330630.tif 000008
【図７】
2006330630.tif 000009
【図８】
2006330630.tif 000010
【図９】
2006330630.tif 000011
【図１０】
2006330630.tif 000012
【図１１】
2006330630.tif 000013
【図１２】
2006330630.tif 000014
【図１３】
2006330630.tif 000015
【図１４】
2006330630.tif 000016
【図１５】
2006330630.tif 000017
【図１６】
2006330630.tif 000018
【図１７】
2006330630.tif 000019
【図１８】
2006330630.tif 000020
【図１９】
2006330630.tif 000021
【図２０】
2006330630.tif 000022
【図２１】
2006330630.tif 000023
【図２２】
2006330630.tif 000024